(57)【要約】【課題】頑丈で、多くのパイプを纏めて安定した状態で保管することができ、鋼管のように高重量で一度に多く消費されるパイプの保管に適しており、その上、保管するパイプ同士の間にデッドスペースが形成されず倉庫のスペースを有効利用することができ、製造コストが安価なパイプ用の保管治具を提供する。【解決手段】保管治具１は、中央の部分が下向きに屈曲した“舟形”になっている。また、底面プレート４の左右両側に、それぞれ、傾斜面プレート５，５が、左右対称となるように設置されており、各傾斜面プレート５，５の表面が、底面プレートの表面に対して、１２０°の角度を成している。そして、底面プレート４および傾斜面プレート５，５によってパイプ載置部Ｓが形成されており、前面プレート２、後面プレート３の前後の各連結部分ｃ，ｃおよび上面プレート６，６によって連結部Ｌ，Ｌが形成されている。【選択図】図３
2009120239.tif 000002
【特許請求の範囲】
【請求項１】
パイプを載置した状態で保持するための保管治具であって、
一定幅の帯状体を舟形に形成してなるパイプ載置部と、
そのパイプ載置部の左右の両側に設けられた連結部とからなる保管治具。
【請求項２】
パイプ載置部が、
水平面と、その水平面の左右両端に、水平面に対して１２０度の角度を成すように左右対称に設けられた２つの傾斜面とを有するものであることを特徴とする請求項１に記載の保管治具。
【発明の詳細な説明】
【技術分野】
【０００１】
本発明は、鋼管等の長尺で重量の大きなパイプを保管するための保管治具に関するものである。
【背景技術】
【０００２】
長尺な円柱状のパイプを保管する方法としては、従来、平行な水平板によって仕切られた棚の中に寝かせた状態で載置する方法や、図９の如く、同じ数の鋼管を束ねたユニットＵ，Ｕ・・を材木Ｗの上に平行に設置し、その上に別個の材木Ｗを載置して、さらにその材木Ｗの上に同じ数の鋼管を束ねたユニットＵ，Ｕ・・を載置する方法等が採用されていた。また、パイプを整列させて収納・保管するための保管治具として、上面に所定間隔で円弧状の凹部を形成してなる長尺状の保管治具が知られている（特許文献１）。
【０００３】
【特許文献１】特表平３−５０５０７７号公報
【発明の開示】
【発明が解決しようとする課題】
【０００４】
しかしながら、棚の中に寝かせた状態でパイプを保管する方法は、パイプが長尺になると、それに併せて大きな棚が必要となるため、コストがかかる。その上、パイプの在庫が少なくなった場合に、倉庫内のスペースを有効利用することができない、という不具合もある。また、複数本のパイプのユニットＵ，Ｕ・・を材木Ｗの上に平行に設置する方法では、高く積み上げると不安定になる上、隣り合うユニットＵ，Ｕ・・同士の間にデッドスペースが形成されるため、倉庫のスペースを有効利用することができない、という不具合がある。一方、特許文献１の如き保管治具を用いる方法では、多くのパイプを保管するには、多くの保管治具が必要となり、コスト高になってしまう上、隣り合うパイプ同士の間にデッドスペースが形成されるため、倉庫のスペースを有効利用することができない、という不具合がある。
【０００５】
本発明の目的は、上記従来のパイプの保管治具の問題点を解消し、頑丈で、多くのパイプを纏めて安定した状態で保管することができ、鋼管のように高重量で一度に多く消費されるパイプの保管に適しており、その上、保管するパイプ同士の間にデッドスペースが形成されず倉庫のスペースを有効利用することができ、製造コストが安価なパイプ用の保管治具を提供することにある。
【課題を解決するための手段】
【０００６】
かかる本発明の内、請求項１に記載された発明は、パイプを載置した状態で保持するための保管治具であって、一定幅の帯状体を舟形に形成してなるパイプ載置部と、そのパイプ載置部の左右の両側に設けられた連結部とからなることを特徴とするものである。
【０００７】
請求項２に記載された発明は、請求項１に記載された発明において、パイプ載置部が、水平面と、その水平面の左右両端に、水平面に対して１２０度の角度を成すように左右対称に設けられた２つの傾斜面とを有するものであることを特徴とするものである。
【発明の効果】
【０００８】
請求項１に記載された保管治具は、頑丈で、複数のパイプを纏めて保管することができ、鋼管のように高重量で一度に多く消費されるパイプの保管に適している上、製造コストが安価である。また、保管するパイプ同士の間にデッドスペースが形成されないので、倉庫のスペースを有効利用することができる。さらに、請求項２に記載された保管治具によれば、多くのパイプを安定した状態で保管することができる。
【発明を実施するための最良の形態】
【０００９】
以下、本発明に係る保管治具の一実施形態を、図面に基づいて詳細に説明する。図１〜図３は、保管治具を示したものである。保管治具１は、鋼鉄製の前面プレート２、後面プレート３、底面プレート４、傾斜面プレート５，５、上面プレート６，６、水平部補強プレート７，７、および連結部補強プレート８，８を溶接することによって一体的に形成されている。なお、各プレートとも厚さ約４．５ｍｍの鉄板によって形成されている。
【００１０】
前面プレート２、および後面プレート３は、５０ｍｍ幅の長尺な帯状に形成されており、中央が水平になっている。そして、その水平部分ａの左右の外側には、それぞれ、傾斜部分ｂ，ｂが、左右対称に設けられており、それらの傾斜部分ｂ，ｂの外側には、他の保管治具１と接続するための連結部分ｃ，ｃが形成されている。また、各連結部分ｃ，ｃには、それぞれ、２個ずつネジ孔９が穿設されている。
【００１１】
一方、底面プレート４および各傾斜面プレート５，５は、いずれも１２０ｍｍ幅の長方形状に形成されており、２９５ｍｍの長さを有している。また、各上面プレート６，６は、底面プレート４および各傾斜面プレート５，５と同様に、１２０ｍｍ幅の長方形状に形成されており、それぞれ、１６９ｍｍの長さを有している。また、各連結部補強プレート８，８および各水平部補強プレート７，７は、いずれも長方形状に形成されており、前後の長さ×左右の長さが、それぞれ、１６０ｍｍ×１５０ｍｍ，１６０ｍｍ×１２０ｍｍになっている。
【００１２】
保管治具１の本体部分は、前面プレート２の水平部分ａと後面プレート３の水平部分ａとの上端縁同士の間に、底面プレート４を溶接し、前面プレート２の各傾斜部分ｂと後面プレート３の各傾斜部分ｂとの上端縁同士の間に、それぞれ、傾斜面プレート５を溶接し、前面プレート２の各連結部分ｃおよび後面プレート３の各連結部分ｃの上端縁同士の間に、それぞれ、上面プレート６を溶接するとともに、底面プレート４と傾斜面プレート５との間、および、傾斜面プレート５と上面プレート６との間を溶接することによって、断面コ字状で前後幅１２０ｍｍの屈曲した長尺状に形成されている。
【００１３】
さらに、前面プレート２の水平部分ａと後面プレート３の水平部分ａとの下端縁同士の間には、２枚の水平部補強プレート７が溶接されており、前面プレート２の連結部分ｃと後面プレート３の連結部分ｃとの下端縁同士の間には、それぞれ、連結部補強プレート８が溶接されている。そして、それらの水平部補強プレート７，７および連結部補強プレート８，８の前後の部分が、前面プレート２および後面プレート３から外側に２０ｍｍ幅で突出した状態になっている。
【００１４】
上記の如く構成された保管治具１は、正面から見ると、中央の部分が下向きに屈曲した状態になっており、所謂“舟形”になっている。また、底面プレート４の左右両側に、それぞれ、傾斜面プレート５，５が、左右対称となるように設置されており、各傾斜面プレート５，５の表面が、底面プレート４の表面（水平面）に対して、１２０°の角度を成している。そして、底面プレート４および傾斜面プレート５，５によってパイプを載置するためのパイプ載置部Ｓが形成された状態になっている。また、前面プレート２、後面プレート３の前後の各連結部分ｃ，ｃおよび上面プレート６，６によって連結部Ｌ，Ｌが形成された状態になっている。
【００１５】
かかる保管治具１は、図４の如く、２個あるいは３個以上を前後に平行に配置させることにより、鋼管Ｐ，Ｐ・・を纏めて載置して保管することができる。また、図５の如く、前面プレート２および後面プレート３の連結部分に穿設されたネジ孔９，９・・を利用し、横長な長方形状の接続プレート（左右に２個ずつネジ孔を穿設したもの）Ｃ、ボルトＢ，Ｂ・・およびナット（図示せず）を用いて、２個以上を左右方向に連結することができる（なお、接続プレートＣを用いて連結した場合には、片方の上縁の基端から他方の上縁の基端までの長さが、前面プレート２および後面プレート３の水平部分ａの下端の長さと同一になるように設計されている）。そして、それらの連結した各保管治具１，１の上に鋼管Ｐ，Ｐ・・を載置して保管することができる。
【００１６】
さらに、左右に連結した各保管治具１，１・・の上に、直径約１１４．３ｍｍφの鋼管Ｐ，Ｐ・・を１９本ずつ載置してバンドＴ等で束ねるとともに、先に連結された保管治具１，１・・の上に、図６の如く、保管治具１，１・・を載置して連結し、それらの各保管治具１，１・・の上に直径約１１４．３ｍｍφの鋼管を１９本ずつ載置する方法を繰り返し、保管治具１，１・・によってラックを形成することにより、図７の如く、多くの鋼管Ｐ，Ｐ・・を隙間なく保管することもできる。
【００１７】
保管治具１は、上記の如く、一定幅の帯状体を舟形に形成してなるパイプ載置部Ｓと、そのパイプ載置部Ｓの左右の両側に設けられた連結部Ｌ，Ｌとからなるものであるため、頑丈で、複数のパイプＰ，Ｐ・・を纏めて保管することができ、鋼管のように高重量で一度に多く消費されるパイプの保管に適している上、製造コストが安価である。また、保管するパイプＰ，Ｐ・・同士の間にデッドスペースが形成されないので、倉庫のスペースを有効利用することができる。
【００１８】
また、保管治具１は、パイプ載置部Ｓが、水平面（底面プレート４）と、その水平面の左右両端に、水平面に対して１２０度の角度を成すように左右対称に設けられた２つの傾斜面（傾斜面プレート５，５）とを有するものであるため、多くのパイプＰ，Ｐ・・を安定した状態で保管することができる。
【００１９】
なお、本発明に係る保管治具の構成は、上記実施形態の態様に何ら限定されるものではなく、前面プレート、後面プレート、底面プレート、傾斜面プレート、上面プレート、水平部補強プレート、連結部補強プレート等の構成を、本発明の趣旨を逸脱しない範囲で、必要に応じて適宜変更することができる。
【００２０】
たとえば、保管治具は、上記実施形態の如く、底面プレートと傾斜面プレートとが約１２０°の角度を成しているとともに底面プレートの長さと傾斜面プレートの長さとが同一であり、正六角形に束ねたパイプを１ユニットとして積み重ねて保管できるものに限定されず、図８の如く、傾斜面プレートの長さに比べて底面プレートの長さの方が長く、扁平な六角形に束ねたパイプを１ユニットとして積み重ねて保管できるもの等に変更することも可能である。
【００２１】
また、保管治具は、底面プレート、傾斜面プレート、上面プレートを前面プレート、後面プレートに溶接することによって形成されたものに限定されず、折り曲げ形成や鋳造等の方法により形成したものでも良い。
【００２２】
さらに、保管治具は、上記実施形態の如く、連結部Ｌ，Ｌにネジ孔を２個ずつ設けたものに限定されず、図９の如く、３個以上のネジ孔９，９・・を連結部Ｌ，Ｌに設けたものに変更することも可能である。かかる構成を採用した場合には、図１０の如く、外側の２個のネジ孔９，９を利用し、接続プレートＣ１、ボルトＢ，Ｂ・・、ナットを用いて左右方向の保管治具１１，１１と連結するとともに、内側の１個以上のネジ孔を利用し、接続プレートＣ２、ボルトＢ，Ｂ・・、ナットを用いて、上下を反転して載置した保管治具１１，１１と連結することが可能となる。そのように、左右・上下に隣り合う保管治具１１，１１・・同士を互いに連結した場合には、保管治具１１，１１・・によって形成されるラックがきわめて頑丈なものとなり、ラック内部のパイプＰ，Ｐ・・出し入れが可能となる、というメリットがある（なお、２個ずつネジ孔を連結部Ｌ，Ｌに設けた保管治具を用い、外側の１個のネジ孔を利用して左右方向の保管治具と連結するとともに、内側の１個のネジ孔を利用して、上下を反転して載置した保管治具と連結することも可能であるが、２個以上のネジ孔を利用して左右に隣り合う保管治具同士を連結することにより、保管治具によって形成されるラックの強度が、飛躍的に高いものとなる）。
【産業上の利用可能性】
【００２３】
本発明の保管治具は、上記の如く優れた効果を奏するものであるため、各種のパイプの保管に好適に用いることができる。
【図面の簡単な説明】
【００２４】
【図１】保管治具の正面図である。
【図２】保管治具の平面図（ａ）、および（ａ）におけるＡ−Ａ線端面図である。
【図３】保管治具の斜視図である。
【図４】保管治具の使用状態を示す説明図である（ａは保管治具の正面側から見た状態であり、ｂは保管治具の側面側から見た状態である）。
【図５】保管治具を連結した状態を示す説明図である。
【図６】連結した保管治具の上に保管治具を載置した状態を示す説明図である。
【図７】保管治具の使用状態を示す説明図である。
【図８】保管治具の変更例を示す説明図である。
【図９】従来のパイプの保管方法を示す説明図である。
【図１０】保管治具の使用状態を示す説明図である。
【符号の説明】
【００２５】
１，１１・・保管治具
４・・底面プレート
５・・傾斜面プレート
Ｓ・・パイプ載置部
Ｌ・・連結部
Ｐ・・パイプ
【図１】
2009120239.tif 000003
【図２】
2009120239.tif 000004
【図３】
2009120239.tif 000005
【図４】
2009120239.tif 000006
【図５】
2009120239.tif 000007
【図６】
2009120239.tif 000008
【図７】
2009120239.tif 000009
【図８】
2009120239.tif 000010
【図９】
2009120239.tif 000011
【図１０】
2009120239.tif 000012